(57)【要約】【課題】マットレス上位において、仰臥位のオペレーターの手元側へ傾斜して横装した見台上に、携帯型コンピューターを載設すると共に、該コンピューターのディスプレイ画面をオペレーター視線に正対して設定し、外付け記憶媒体に保存した既成の画像情報、又は、周辺装置を併用して作成する画像情報をコンピューターに取込み、記憶装置及び画像処理装置のタスク処理を経て、ディスプレイへ選択的に画像表示を行う臥床用画像表示装置を提供しようとするものである。【解決手段】  マットレス下位に敷設した敷板の端部に支柱を立設し、腕金を片持梁状に同支柱に枢着し、該腕金に見台を横装し、該見台上面を仰臥位のオペレーターの手元側へ傾斜して携帯型コンピューターを載設し、該コンピューターのディスプレイ画面を同オペレーターの視線へ正対して設定し、また、コンピューターに連接して周辺装置のイメージ・スキャンナーやデジタル・カメラなどを着脱自在に並設可能としている。【選択図】  図１
0003107457.tif 000002
【実用新案登録請求の範囲】
【請求項１】
マットレス（Ｍ）下位に敷設した敷板（１）の端部に、支柱（２）を立設し、該支柱には、腕金（３）の基端を支持する枢支具（３ａ）により、同腕金をマットレス上位へ片持梁状に枢着し、見台（４）を腕金上に横装し、該見台上面を仰臥位のオペレーターの手元側へ傾斜して携帯型のパーソナル・コンピューター（ＰＣ）を載設し、同コンピューターのディスプレイ（ＤＳＰ）の画面を、オペレーター視線に正対して設定すると共に、該見台上には、コンピューターに連接して周辺装置（ＰＰＨ）を着脱自在に並設してなり、該周辺装置により作成する画像情報、及び、外付け記憶媒体に保存した既成画像情報を、コンピューターへ伝送し、記憶装置ならびに画像処理装置のタスク処理を経て、ディスプレイへ選択的に画像表示を行うことを特徴とする臥床用画像表示装置。
【考案の詳細な説明】
【技術分野】
【０００１】  本考案は、臥床において、仰臥姿勢で読書や映像鑑賞などを行うための画像表示手段に関するものである。
【背景技術】
【０００２】  臥床において、仰臥姿勢で読書や映像鑑賞などを行うため、臥床上位に見台や紙挟みなどを懸吊して書物を支持するものが提案されているが、書物の着脱、見開きの保持及び頁捲りの手間が煩雑であった。【０００３】  上記、臥床上位に支持する見台や紙挟みなどによる書物支持具は、何れも、書物の着脱、見開きの保持及び頁捲り機構の構成ないし手間が煩雑であって、実用上の隘路になっている。
【考案の開示】
【考案が解決しようとする課題】
【０００４】  本考案は、上記の問題に鑑みてなされたものであって、その目的とするところは、臥床において、仰臥位で読書や映像鑑賞などを行うため、マットレス上位において、仰臥位のオペレーターの手元側へ傾斜して横装した見台上に、携帯型（通称ノート型）パーソナル・コンピューター（以下コンピューターと略称する）を載設すると共に、コンピューターのディスプレイ画面をオペレーター視線に正対して設定し、外付け記憶媒体に保存した既成の画像情報、又は、周辺装置を併用してオン・ラインにより作成する画像情報をコンピューターに取込み、記憶装置及び画像処理装置のタスク処理を経て、ディスプレイへ選択的に画像表示を行うこととする臥床用画像表示装置を提供しようとするものである。
【課題を解決するための手段】
【０００５】  上記目的を達成するために、本考案における臥床用画像表示装置においては、マットレス下位に敷設した敷板の端部に、支柱を立設し、該支柱には、腕金の基端を支持する枢支具により、同腕金をマットレス上位へ片持梁状に枢着し、見台を腕金上に横装し、該見台上面を仰臥位のオペレーターの手元側へ傾斜して携帯型のパーソナル・コンピューターを載設し、同コンピューターのディスプレイの画面を、オペレーター視線に正対して設定すると共に、該見台上に、コンピューターに連接して周辺装置を着脱自在に並設してなり、該周辺装置により作成する画像情報、及び、外付け記憶媒体に保存した既成画像情報を、コンピューターへ伝送し、記憶装置ならびに画像処理装置のタスク処理を経て、ディスプレイへ選択的に画像表示を行うことを特徴としている。
【考案の効果】
【０００６】  請求項１の臥床用画像表示装置においては、見台上のコンピューター操作面は、仰臥位のオペレーターの手元側へ傾斜しており、コンピューター操作を容易にすると共に、ディスプレイ画面を同オペレーターの視線に正対するよう設定しており、仰臥位において、オペレーターは、画面を正視し、読書や映像鑑賞などを快適に行うことができる。【０００７】  そして、周辺装置としての、イメージ・スキャンナーやデジタル・カメラなどにより作成する文書及び画像の情報をコンピューターの記憶装置へ伝送し、また、既成の画像情報を記憶したフロッピーディスク、メモリーカード類及びＣＤなどの外付け記憶媒体をコンピューターにセットし、記憶装置及び両像処理装置のタスク処理を経て、コンピューターのタッチパッドＴＰやマウス・ポインターなどの指令により、選択した画像をディスプレイに表示し、所謂、スライド・ショウにより、仰臥姿勢で読書や映像鑑賞などを快適に行い、通常の読書における書物の取り扱い、見開きの保持ないし頁捲りの手間を省くことができる。【０００８】  また、見台上の周辺装置を取外したとき、通常のコンピューターとして使用し、周辺装置の空所に、書類や小物などを載置することができる。【０００９】  そして、見台上のコンピューター及び周辺全装置は、腕金の枢支具により支柱に枢着しており、本装置を使用しないときは、腕金と共に見台上の全装置を、支柱周りに、マットレス側位へ回動して収納することができる。
【考案を実施するための最良の形態】
【００１０】  マットレス下位に敷設した敷板の端部に、支柱を立設し、該支柱には、腕金の基端を支持する枢支具により、同腕金をマットレス上位へ片持梁状に枢着し、見台を腕金上に横装し、該見台上面を仰臥位のオペレーターの手元側へ傾斜して携帯型のコンピューターを載設し、同コンピューターのディスプレイの画面を、オペレーター視線に正対して設定すると共に、該見台上に、コンピューターに連接して周辺装置として、イメージ・スキャンナーやデジタル・カメラなどを着脱自在に並設してなり、該周辺装置において、文書・画像の原稿より、オン・ラインで作成する画像情報、及び、外付け記憶媒体に保存した既成の画像情報を、コンピューターへ伝送し、記憶装置ないし画像処理装置のタスク処理を経て、ディスプレイへ選択的に画像表示を行うこととしており、また、本装置を使用しないときは、支柱周りに、腕金及び見台と共に、全装置をマットレス側位へ回動して収納することとしている。
【実施例１】
【００１１】  図１は、本考案装置第１の実施例の斜視図であって、マットレスＭ下位に敷設した敷板１の端部に、支柱２を立設し、該支柱には、腕金３の基端を支持する枢支具３ａにより、同腕金をマットレス上位へ片持梁状に枢着し、見台４を腕金上に横装し、該見台上面を仰臥位のオペレーターの手元側へ傾斜して携帯型のコンピューターＰＣを載設し、同コンピューターのディスプレイＤＳＰの画面を、オペレーター視線に正対して設定すると共に、該見台上に、コンピューターに連接して周辺装置ＰＰＨを着脱自在に並設してなり、該周辺装置により作成する画像情報、及び、記憶媒体に保存した既成画像情報を、コンピューターへ伝送し、記憶装置及び画像処理装置のタスク処理を経て、タッチパッドＴＰ又はマウス・ポインターによる指令により、ディスプレイＤＳＰへ選択的に画像表示を行うこととしている。【００１２】  図２は、実施例図１の構成装置を機能順に示すブロック図であって、周辺装置ＰＰＨにおいて、文書・画像の原稿ＭＳにより作成した画像情報を、コンピューターＰＣへ伝送し、画像情報記憶装置及び画像処理装置のタスク処理を経て、タッチパッドＴＰ又はマウス・ポインターによる指令により、ディスプレイＤＳＰへ選択的に画像表示を行うこととしている。【００１３】  図３は、実施例図１において、本装置を使用しないとき、支柱２周りに、枢支具３ａ，３ａを介して腕金及び見台４に載置した全装置をマットレス側方へ回動し、コンピューターＰＣのディスプレイＤＳＰを折り畳み、収納した状態を示す。
【実施例２】
【００１４】  図４は、本考案装置第２の実施例の斜視図であって、図１の構成のものにおいて、見台４上のコンピューターＰＣに連接して着脱自在に並置した周辺装置ＰＰＨを取外し、見台上の空所に書類や小物を載置可能としており、通常の携帯型コンピューターとして、仰臥位において使用することとしている。
【実施例３】
【００１５】  図５は、本考案装置類似第３の実施例の斜視図であって、上記、実施例１〜２における腕金３の代わりに、見台４を、マットレスＭ両側に配置した脚２ａ，２ａの上位に横架し、該見台上に携帯型のコンピューターＰＣ及び周辺装置ＰＰＨを着脱自在に載設しており、実施例１〜２と同様に使用し、使用後に、装置全体をマットレス上より取去ることとしている。
【産業上の利用可能性】
【００１６】  本考案装置は、通常の臥床において、仰臥姿勢で読書や映像鑑賞などを行うための画像表示手段に適用するほか、福祉機器における特殊寝台の付属具としても適用できる。
【図面の簡単な説明】
【００１７】
【図１】  本考案第１の実施例の臥床用画像表示装置の斜視図である。（実施例１）
【図２】  図１実施例における構成装置を機能順に示すブロック図である。（実施例１）
【図３】  図１の実施例装置の、使用後に収納した状態を示す斜視図である。（実施例１）
【図４】  本考案第２の実施例装置の斜視図である。（実施例２）
【図５】  本考案第３の実施例装置の斜視図である。（実施例３）
【符号の説明】
【００１８】１      敷板
２      支柱
２ａ    脚
３      腕金
３ａ    枢支具
３ｂ    ブラケット
４      見台
ＰＣ    コンピューター（携帯型パーソナル・コンピューター）
ＤＳＰ  ディスプレイ
ＴＰ    タッチパッド
ＰＰＨ  周辺装置
ＭＳ    原稿
Ｍ      マットレス
【図１】
0003107457.tif 000003
【図２】
0003107457.tif 000004
【図３】
0003107457.tif 000005
【図４】
0003107457.tif 000006
【図５】
0003107457.tif 000007